(57)【特許請求の範囲】
【請求項１】
電気機器の使用回数をカウントし、該使用回数が規定回数に達したならばメンテナンス時期と判定する電気機器において、
延べ使用回数（Ｎ）をカウントするカウント手段Ｎと、
予め設定された年数（ｎ年）の経過後の使用回数（Ｓ）を１からカウントするカウント手段Ｓと、
該カウント手段Ｓの使用回数（Ｓ）が、該設定年数（ｎ）が経過した時点までの使用回数（Ｎ）を該設定年数（ｎ）で除してなる年平均使用回数（Ｎ／ｎ）に達したときにメンテナンス信号を発生するメンテナンス信号発生手段と
を備えたことを特徴とする電気機器。
【請求項２】
請求項１において、該メンテナンス信号発生手段は、該設定年数（ｎ）が経過する前に又は該カウント手段Ｓが該年平均使用回数（Ｎ／ｎ）をカウントする前に、該カウント手段Ｎの延べ使用回数（Ｎ）が予め設定された耐久回数に達したときに、メンテナンス信号を発生することを特徴とする電気機器。
【請求項３】
請求項１又は２において、該メンテナンス信号発生手段は、該設定年数（ｎ）が経過する前に又は該カウント手段Ｓが該年平均使用回数（Ｎ／ｎ）をカウントする前に、予め設定された耐用年数が経過したときにはその時点でメンテナンス信号を発生することを特徴とする電気機器。
【発明の詳細な説明】
【０００１】
【発明の属する技術分野】
本発明は電気機器に係り、特に、電気機器の駆動回数をカウントしてメンテナンス時期を判定する電気機器に関する。
【０００２】
また、本発明は、例えば温水で便器使用者の臀部を洗浄する温水洗浄装置などに適用することができる電気機器であってメンテナンス時期を判定する電気機器に関する。
【０００３】
【従来の技術】
温水洗浄装置にあっては、温水タンク等の温水源からの温水を洗浄ノズルに供給し、該洗浄ノズル先端から上方ないし斜め上方に噴出して人体臀部の洗浄を行うよう構成されている。最近では、洗浄後の臀部に温風を吹き付けて乾燥させる温風乾燥機構を備えた温水洗浄装置も広く普及している。
【０００４】
特開平８−２７８７０号公報の第００５７段落〜第００７０段落には、脱臭剤装填時からの経過時間又は便座への着座回数を不揮発生記憶部に記憶させ、この記憶データに基づいて脱臭剤の交換時期を報知することが記載されている。
【０００５】
【発明が解決しようとする課題】
単純に使用回数をカウントしてメンテナンス時期を判定するのでは、使用頻度が少ない場合、耐用年数が経過していても寿命警報が発生しないようになる。使用回数のカウントと、耐用年数との双方を監視する場合、多くは耐用年数が先にくると考えられる。
【０００６】
新築のマンション等の集合住宅に寿命警報発生機能付き温水洗浄装置を設置した場合、従って、多くの世帯において温水洗浄装置が同時に寿命警報を発生するようになる。そうすると、マンション管理組合が著しく繁忙となり、対処しきれないおそれがある。
【０００７】
本発明は、同一の電気機器が多数同時に設置された場合、メンテナンス時期が微妙に異なるように判定する電気機器を提供することを目的とする。
【０００８】
【課題を解決するための手段】
本発明の電気機器は、電気機器の使用回数をカウントし、該使用回数が規定回数に達したならばメンテナンス時期と判定する電気機器において、延べ使用回数（Ｎ）をカウントするカウント手段Ｎと、予め設定された年数（ｎ年）の経過後の使用回数（Ｓ）を１からカウントするカウント手段Ｓと、該カウント手段Ｓの使用回数（Ｓ）が、該設定年数（ｎ）が経過した時点までの使用回数（Ｎ）を該設定年数（ｎ）で除してなる年平均使用回数（Ｎ／ｎ）に達したときにメンテナンス信号を発生するメンテナンス信号発生手段とを備えたことを特徴とするものである。
【０００９】
かかる電気機器によると、耐用年数を例えば一律に９年と設定するのではなく、所定年数例えば８年間経過した時点でそれまでの年平均使用回数（Ｎ／８）を算出し、８年経過後にＮ／８回使用された時点をメンテナンス時期と判定する。そうするとメンテナンス時期は大概約９年となるが、８年経過後の１年間の実際の使用回数とそれまでの年平均使用回数とは若干ずれるのが通常であるから、複数の同一電気機器を同時期に設置したマンション等においても、各電気機器で判定されるメンテナンス時期は微妙にずれることになる。
【００１０】
本発明においては、上記判定がなされる前に延べのカウント値が予め設定された耐久回数に達したり、耐用年数に達したならば、その時点でメンテナンス時期と判定することが好ましい。
【００１１】
【発明の実施の形態】
以下、図面を参照して実施の形態について説明する。図１は実施の形態に係る電気機器のメンテナンス時期判定方法を示すフローチャートである。この実施の形態では、電気機器は温水洗浄装置であるが、これに限定されるものではない。
【００１２】
この実施の形態では、温水洗浄装置の「使用」とは、臀部の洗浄用スイッチをＯＮ操作することをいう。従って、１回の便器使用に当り複数回該スイッチがＯＮ操作されたときには、温水洗浄装置は当該複数回使用されたことになる。
【００１３】
以下の説明において、カウンタＮは、温水洗浄装置を製造してから又は使用開始してからの延べの使用回数をカウントする。カウンタＳは８年経過後の使用回数をカウントする。なお、この実施の形態では温水洗浄装置の耐用年数を１０年とし、８年経過時点でそれまでの平均使用回数を演算しているが、この１０年、８年という年数は一例にすぎない。また、この年数は整数でなく、小数点以下の数値を含んでもよい。
【００１４】
耐久回数は、この場合２万回と設定されているが、この回数は単なる一例に過ぎない。
【００１５】
図１において、温水洗浄装置の製造完成又は使用開始に伴ってタイマがスタートする（ステップ１）。そして、カウンタＮをスタートさせ、使用回数Ｎをカウントする（ステップ２）。８年以内にＮが耐久回数（２万回）に達したならば（ステップ３）、その時点でメンテナンス信号を発生させる（ステップ４）が、通常、このような激しい使用は行われず、ステップ３から５に移り、８年経過するまでステップ２，３，５を実行する。
【００１６】
８年が経過すると、ステップ５から６に移り、年平均使用回数Ｎ／８を演算する。
【００１７】
次いで、ステップ７に移り、カウンタＳをスタートさせ、８年経過後の使用回数を１からカウントし始め、ステップ８，９，１０を繰り返し実行する。そして、延べの使用回数Ｎ（それまでの使用回数の総和。この場合は、８年目までの使用回数と８年目以降の使用回数との和である。）が耐久回数（２万回）に達したり、カウンタＳのカウント値がステップ６で演算された年平均使用回数Ｎ／８に達したり、あるいは１０年が経過したならば、メンテナンス信号を発生する（ステップ８，９，１０）。
【００１８】
通常は、１０年が経過する前に、約９年が経過した時点でカウンタＳがＮ／８をカウントし、その時点でメンテナンス信号が発生する（ステップ９，４）。このＮ／８のカウント時点は、各温水洗浄装置において微妙に前後するので、全温水洗浄装置に一斉にメンテナンス信号が発生することがない。
【００１９】
本発明は温水洗浄装置への適用に限定されるものではないが、温水洗浄装置は、近年、新築マンションにはほぼ必ず装備されているので、特に戸数の多い大規模集合住宅の温水洗浄装置に本発明を適用すると極めて好適である。
【００２０】
本発明は、電気設備の一部の電気機器のメンテナンス時期を判定する用途に用いてもよい。この場合、１個の電気機器を交換した場合、その交換した電気機器については、改めて新品の電気機器についてのメンテナンス判定プログラムをスタートさせ、交換しなかった電気機器については、それまで通りのメンテナンス判定プログラムを継続して実行するのがよい。
【００２１】
【発明の効果】
以上の通り、本発明によると、同時期に設置された複数の同一電気機器のメンテナンス時期を適切にしかも微妙に前後させて判定することができる。
【図面の簡単な説明】
【図１】実施の形態に係る電気機器のメンテナンス時期判定方法のフローチャートである。
【図１】
0003832193.tif 000002